(57)【要約】【課題】  コピー時間の短縮。【解決手段】  原稿台ガラス上の原稿の画像情報を読み取った後、記憶部に記憶させ、その後、プラテンカバーの開閉、設定の変更等無しに、再度、同一原稿をコピーする際、再度原稿の読み込みを行うことなく、前記記憶部の画像情報を元にコピー出力を行う。【選択図】  図１
2005136656.tif 000002
【特許請求の範囲】
【請求項１】
原稿の画像情報を読み取る画像読み取り部と、前記画像情報を蓄積する記憶部と、画像形成を行う画像形成部とを備えた画像形成装置において、
コピーボタンが押され、プラテンガラス上の原稿の画像情報を読み取り、前記画像情報を前記記憶部に記憶させ、前記記憶部の画像情報を元にプリント出力を行った後、プラテンガラス上のプラテンカバーの開閉が行われることなく、再度コピーボタンが押された際、
プラテンガラス上の原稿の画像情報を再読み込みすることなく、前記記憶部に記憶された画像情報を元に、プリント出力を行うことを特徴とする画像形成装置。
【請求項２】
前記画像形成装置において、プラテンガラス上のプラテンカバーの開閉が行われることなく、プリント情報の設定が変更されることなく再度コピーボタンが押された際、プラテンガラス上の原稿の画像情報を再読み込みすることなく、前記記憶部に記憶された画像情報を元に、プリント出力を行うことを特徴とする請求項１に画像形成装置。
【請求項３】
原稿台と、
前記原稿台上に載置された原稿の画像情報を読取り可能な読取手段と、
該読取手段からの画像情報を記憶可能な記憶手段と、
該記憶手段に記憶された画像情報をプリント可能なプリント手段と、
第１指示を入力する入力手段と、
前記第１指示が入力された場合に、前記原稿台上に載置された原稿の画像情報を前記読取手段で読取らせ、該読取った画像情報を前記記憶手段を介して前記プリント手段によりプリントさせるよう制御すると共に、前記プリント手段によりプリント処理後も該画像情報を前記記憶手段に保持しておくよう制御し、
前記プリント手段によりプリント済みの原稿が前記原稿台上に載置されたままの状態で、前記第１指示が再度入力された場合に、前記原稿台上の載置された該原稿に対する前記読取手段による再読取処理を禁止して、前記記憶手段に保持しておいた該原稿に対応した画像情報に基づいた前記プリント手段によりプリント処理を実行させるよう制御する、制御手段と、
を有することを特徴とする画像形成装置。
【請求項４】
前記読取手段は、原稿台上の原稿をカバーする為の、操作者による開閉操作が可能な、原稿台カバーが閉じられた状態で、前記原稿台上の原稿の画像情報を読取可能であって、
前記制御手段は、前記プリント手段による原稿台上の原稿の画像情報のプリント処理後に操作者による前記原稿台カバーの開操作がなされないまま前記第１指示が再度入力された場合に、前記原稿台上の載置された該原稿に対する前記読取手段による再読取処理を禁止して、前記記憶手段に保持しておいた該原稿に対応した画像情報に基づいた前記プリント手段によりプリント処理を実行させるよう制御することを特徴とする請求項３記載の画像形成装置。
【請求項５】
前記制御手段は、前記プリント手段による原稿台上の原稿の画像情報のプリント処理後に操作者による前記原稿台カバーの開操作がなされ且つ再度前記原稿台カバーが閉操作され、その上で前記第１指示が再度入力された場合、前記プリント手段によりプリント済みで且つ前記記憶手段に画像情報を保持済みの原稿であっても、再度、前記読取手段による再読取処理を許可して、該再度読取った画像情報に基づいた前記プリント手段によるプリント処理を実行させるよう制御することを特徴とする請求項４記載の画像形成装置。
【請求項６】
プリント開始指示が入力されたことに応じて、原稿台上の原稿の画像情報を読取手段により読取らせ、該読取った画像情報を、記憶手段を介して、プリント手段によりプリントさせることが可能な画像形成装置の制御方法であって、
前記プリント手段でプリントさせたプリント済みの画像情報を、前記記憶手段に保持しておくよう制御し、
前記プリント済みの画像情報に対応する原稿が前記原稿台上に載置されたままの状態で再度前記プリント開始指示が入力された場合に、該原稿に対する前記読取手段による再度の読取動作を禁止して、前記記憶手段に保持している該原稿に対応する画像情報に基づいたプリント処理を前記プリント手段により実行させることを特徴とする画像形成装置の制御方法。
【発明の詳細な説明】
【技術分野】
【０００１】
本発明は、画像形成装置及びその制御方法などに関し、また、例えば、デジタル方式の画像読み取り部と画像形成部を持つ複写装置のコピー動作制御に関するものである。
【背景技術】
【０００２】
従来、原稿をコピーする場合には、原稿台ガラス上に原稿を載置してプラテンカバーで原稿を押え、コピーボタンを押していた。すると、画像読み取り部の光学系走査部が動作して原稿台ガラス上の原稿の画像情報を毎回、必ず読み取っていた。
【特許文献１】特許第３３２００８５号
【発明の開示】
【発明が解決しようとする課題】
【０００３】
しかしながら、上記従来例では、コピーボタンを押す度に光学系走査部を動作させて原稿の画像情報を読み取る為、例えば、１枚コピー中に、もう１部コピーが必要になった場合には、プラテンカバーの開閉動作をせず、倍率等の設定も変更しないで、コピーした原稿を再度そのままコピーすることもある。その場合にも、原稿の画像情報の読み取りから複写動作がスタートする為、原稿読み取り時の光学系の原稿走査時間が無駄であり、結果として、コピー時間が長くなるという欠点があった。
【０００４】
なお、従来、プリント済みの画像を記憶手段から読み出して記録出力するものがあった（例えば特許文献１参照）。
【課題を解決するための手段】
【０００５】
本発明によれば、読み込んだ原稿の画像データをハードディスク等の記憶部に蓄積し、プラテンカバーの開閉、コピー設定の変更無しに、再度、コピー動作を行う場合、原稿の画像情報の読み取りを行わず、前記ハードディスク内の画像情報を元にコピー出力する。
【０００６】
それにより、コピーボタンを押してから転写材Ｐが排出されるまでの時間が、原稿読み取りの時間が削減される分だけ短縮することが可能となった。
【発明の効果】
【０００７】
本発明によれば、読み込んだ原稿の画像データをハードディスク等の記憶部に蓄積し、プラテンカバーの開閉、コピー設定の変更無しに、再度、コピー動作を行う場合、原稿の画像情報の読み取りを行わず、前記ハードディスク内の画像情報を元にコピー出力する。
【０００８】
それにより、コピーボタンを押してから転写材Ｐが排出されるまでの時間が、原稿読み取りの時間が削減される分だけ短縮することが可能となった。
【０００９】
また、不必要に原稿の読み取りを行わない為、画像読み取り部の照明部や駆動モーター等の部品の長寿命化にも効果が有る。
【発明を実施するための最良の形態】
【００１０】
以下、図面に基づいて、本発明の実施の形態について詳細に説明する。
【実施例１】
【００１１】
図１は本実施の形態に係る画像形成装置を示す斜視図、図２はその概略断面図、図３は画像情報フローの概念図、図４は装置の動作制御のブロック図である。これらの図に示すように、本実施の形態に係る画像形成装置１は、原稿の画像情報を読み取りデジタル信号で処理する画像読み取り部（リーダー）２と、画像読み取り部２で読み取った画像情報をもとに用紙などの転写材Ｐに画像形成を行う画像形成部（プリンタ）３と給紙部４を有する装置本体５と、画像読み取り部２と装置本体５を上下に配置して保持するラック６とで構成される。
【００１２】
画像読み取り部２は、ラック６上部に設けたリーダー載置台７に載置され、装置本体５は、ラック６下部に設けたプリンタ載置台８上に載置されている。画像読み取り部２と装置本体５は、通常はリーダー載置台７とプリンタ載置台８にそれぞれ位置決め部材（不図示）により所定の位置に載置され固定されている。
【００１３】
画像読み取り部２は、画像形成装置１の操作を行うコントロールパネル１０と、原稿台ガラス１１上に載置してプラテンカバー１２で押圧保持される原稿（不図示）を照明走査する走査部１３と、走査部１３で走査した原稿の画像情報をデジタル信号で処理する画像処理部１４と、画像処理部で処理された画像データを蓄積するコントローラー部４９を備えている。
【００１４】
画像形成部３は、像担持体としてのドラム型の感光体１５、帯電装置１６、露光装置１７、現像装置１８、転写装置１９、定着装置２０等を備えている。
【００１５】
給紙部４に格納される複数の給紙カセット２１は、装置本体５の前面から挿入される。装置本体５の上部に設けた天カバー２２上には、排紙トレー部２２ａが形成されている。装置本体５の天カバー２２とラック６上部のリーダー載置台７との間には所定の空間部分２３が形成されている。画像形成部３は前ドア２４内に設けられている。
【００１６】
尚、本形態の画像形成装置に関し、コピー機能やプリント機能等の複数の機能を具備した所謂デジタル複合機能装置でも良いし、コピー機能のみを具備した単一機能タイプのデジタル複写機でも良く、リーダで読取った画像をメモリを介してプリントでき、且つ、プリント済みの画像情報をメモリに保持させることが出来るタイプの画像形成装置であれば如何なる形態でも良い。
【００１７】
次に、上記した画像形成装置１の画像形成動作について説明する。
【００１８】
画像形成時には、感光体１５は駆動手段（不図示）により矢印方向に所定のプロセススピードで回転駆動され、バイアス電圧が印加された帯電装置１６により一様な帯電処理を受ける。
【００１９】
そして、コントローラー部から露光装置１７に信号線２５を通して入力されるデジタル信号（画像信号）に基づいて、露光装置１７から帯電処理された感光体１５表面に画像露光が与えられ、原稿（不図示）の画像情報に応じた静電潜像が形成される。そして、現像装置１８によって静電潜像が現像され、トナー像として可視化される。
【００２０】
そして、感光体１５表面のトナー像が感光体１５と転写装置１９間の転写ニップに到達すると、このタイミングに合わせて給紙カセット２１に収納した転写材Ｐが、装置本体５の開閉自在な右ドア２６の内側に設けた搬送路２７を通してこの転写ニップに搬送され、バイアス電圧が印加された転写装置１９によりトナー像が転写される。トナー像が転写された転写材Ｐは定着装置２０に搬送され、定着装置２０により転写トナー像が転写材Ｐ上に永久固着画像として定着され、トナー像が定着された転写材Ｐは、装置本体５の開閉自在な左ドア２８の内側に設けた反転パス２９を通して装置本体５上の空間部分２３に設けた排紙トレー部２２ａに排出される。
【００２１】
上記した画像形成時にジャムが発生した場合には、装置本体５の前ドア２４、右ドア２６、左ドア２８を開けて搬送路２７及び反転パス２９内でのジャム処理を行う。
【００２２】
ここで、画像形成フローについて詳細に説明する。
【００２３】
ユーザーはコピー動作を行う為に装置本体の電源を入れ、装置本体がコピー動作スタンバイ状態になるのを待つ。次に、原稿台ガラス１１上に、読み取る原稿を載せてプラテンカバーで押圧する。そして、複写倍率、コピー濃度等の諸条件を設定後、コピーボタンを押して、複写動作をスタートさせる。
【００２４】
すると、走査部１３が原稿走査を開始し、原稿の画像情報を読み込み、画像処理部１４でデジタル信号化されたデータはコントローラー４９に蓄積される。ここから画像データが露光装置１７に送られ、上記プロセスにより転写紙Ｐに画像形成され出力される。
【００２５】
次に、ユーザーがプラテンカバーを開放して原稿を交換した場合には、前記コントローラー４９に蓄積された画像データは消去されて、次の原稿読み取りを待つ。
【００２６】
一方、先のユーザーが、プラテンカバーの開閉動作無く、設定等の変更を行わずに再度コピーボタンを押して、コピー動作を開始した場合には、走査部１３の原稿走査を行わずに、前記コントローラー４９内に蓄積された画像データを再度、露光装置に送って一連の画像形成プロセスを経て、転写紙Ｐに画像形成を行い出力する。
【００２７】
以上説明したように、本形態の画像形成装置は、原稿の画像情報を読み取る画像読み取り部と、前記画像情報を蓄積する記憶部と、画像形成を行う画像形成部とを備え、コピーボタンが押され、プラテンガラス上の原稿の画像情報を読み取り、前記画像情報を前記記憶部に記憶させ、前記記憶部の画像情報を元にプリント出力を行った後、プラテンガラス上のプラテンカバーの開閉が行われることなく、再度コピーボタンが押された際、プラテンガラス上の原稿の画像情報を再読み込みすることなく、前記記憶部に記憶された画像情報を元に、プリント出力を行うよう、制御部により制御可能に構成している。
【００２８】
そして更に本記画像形成装置は、プラテンガラス上のプラテンカバーの開閉が行われることなく、プリント情報の設定が変更されることなく再度コピーボタンが押された際、プラテンガラス上の原稿の画像情報を再読み込みすることなく、前記記憶部に記憶された画像情報を元に、プリント出力を行うよう該制御部により制御している。
【００２９】
このように、本形態の画像形成装置は、原稿台（プラテンガラス）と、前記原稿台上に載置された原稿の画像情報を読取り可能な読取部と、該読取部からの画像情報を記憶可能な記憶部（例えば、複数の画像データを格納可能なハードディスク等の記憶媒体）と、該記憶部に記憶された画像情報をプリント可能なプリント部を具備し、操作部を介して第１の指示（プリント開始指示）が入力されたことに応答し、本装置が具備する制御部（ＣＰＵ）は、前記原稿台上に載置された原稿の画像情報を前記読取部で読取らせ、該読取った画像情報を前記記憶部を介して前記プリント部でプリントさせるよう制御すると共に、前記プリント部でプリント処理後も該画像情報を前記記憶部に保持しておくよう制御しており、前記プリント部でプリント済みの原稿が前記原稿台上に載置されたままの状態で、操作部から再び該前記第１指示が再度入力された場合に、該制御部は、前記原稿台上の載置された該原稿を前記読取部による再度読取処理を実行させないよう、プリント済みの該原稿に対する該読取部による再読み取り動作を禁止するよう制御して、先のプリント処理にて前記記憶部に持しておいた該原稿に対応した画像情報を利用して、該記憶部に保持しておいた該プリント済みの原稿に対応する画像情報を読み出して、該読み出した該プリント済みの原稿に対応する画像情報に基づいた前記プリント部によるプリント処理を実行させるよう制御している。
【００３０】
これにより従来の問題も解決され生産性も向上させることが出来る等の効果が得られる。
【００３１】
そして、このような構成を具備した本画像形成装置は、原稿台上の原稿をカバーする為の、操作者による開閉操作が可能な、原稿台カバー（プラテンカバー）が閉じられた状態で、前記原稿台上の原稿の画像情報を読取可能とし、本画像形成装置の前記制御部は、前記プリント部による原稿台上の原稿の画像情報のプリント処理後に操作者による前記原稿台カバーの開操作がなされないまま前記第１指示が再度入力された場合に、前記原稿台上の載置された該原稿に対する前記読取部による再読取処理を禁止して、前記記憶部に保持しておいた該原稿に対応した画像情報に基づいた前記プリント部によりプリント処理を実行させるよう制御している。
【００３２】
これにより上記効果と同様な効果が得られ、尚且つ、操作者に、明示的な操作（メモリに画像情報を保持しておくよう指示しておく操作、メモリに保持している画像情報を使ってプリントするよう指示する操作など）を要求することなく、簡単に上述の動作を実行させることができるので、操作性も更に向上させることが出来る。
【００３３】
尚且つ、前記画像形成装置が具備する該制御部は、前記プリント部による原稿台上の原稿の画像情報のプリント処理後に操作者による前記原稿台カバーの開操作がなされ且つ再度前記原稿台カバーが閉操作され、その上で前記第１指示が再度入力された場合には、前記プリント部によりプリント済みで且つ前記記憶手段に画像情報を保持済みの原稿であっても、再度、前記読取部による再読取処理を許可して、該再度読取った画像情報に基づいた前記プリント部によるプリント処理を実行させるよう制御している。
【００３４】
これにより、操作者があえて再読取した原稿で再プリントしたい等を望んでいる場合でも柔軟に対応でき、このような場合は、メモリに保持しておいた画像情報を利用せずに、敢えて再度読取処理を行わせて、それを利用することが出来るようにすることができるので、ユーザからの様々なニーズにも対応でき、尚且つ、このような要求を操作者がプラテンカバーをプリント後に開けて閉じるという操作だけで指示できるので、簡単に操作することができ操作性が向上する。
【００３５】
尚、本発明は、上述の本形態の画像形成装置だけでなく、本画像形成装置の制御方法、及び、その記憶媒体、並びにプログラムに適用されるものである。
【図面の簡単な説明】
【００３６】
【図１】本発明を用いた画像形成装置の斜視図
【図２】本発明を用いた画像形成装置の概略断面図
【図３】本発明を用いた画像情報フローの概念図
【図４】本発明を用いた動作制御のブロック図
【符号の説明】
【００３７】
１  画像形成装置
２  画像読み取り部
３  画像形成部
４  給紙部
５  装置本体
６  ラック
７  リーダー載置台
８  プリンタ載置台
１０  コントロールパネル
１１  原稿台ガラス
１２  プラテンカバー
１３  走査部
１４  画像処理部
１５  感光体
１６  帯電装置
１７  露光装置
１８  現像装置
１９  転写装置
２０  定着装置
２１  給紙カセット
２２  天カバー
２２ａ  排紙トレイ
２３  空間
４９  ハードディスク
【図１】
2005136656.tif 000003
【図２】
2005136656.tif 000004
【図３】
2005136656.tif 000005
【図４】
2005136656.tif 000006